(57)【要約】【課題】クレセント錠等のロック装置が取り付けられ、外部電源を用いることなく開閉体の不正な開閉状態を通信により外部へと知らしめることが可能な建物の窓や扉等の開閉体を提供する。【解決手段】建物の窓や扉等の開閉体を施錠・解錠自在にするロック装置を、自己発電可能なモジュールを有して構成し、該モジュールは、一方の開閉体に配設されたロック装置のロック用回転体が、他方の開閉体に配設され上記ロック装置のロック用回転体と係合する係止体との係合状態が解除された時点で、ロック装置との係合が解除され、上記モジュールが振動して発電作動するように構成した。【選択図】図１
2005139627.tif 000002
【特許請求の範囲】
【請求項１】
建物の窓や扉等の開閉体を施錠・解錠自在にするロック装置を、自己発電可能なモジュールを有して構成し、該モジュールは、一方の開閉体に配設されたロック装置のロック用回転体が、他方の開閉体に配設され上記ロック装置のロック用回転体と係合する係止体との係合状態が解除された時点で、ロック装置との係合が解除され、上記モジュールが振動して発電作動するように構成されていることを特徴とする建物の開閉体用ロック装置。
【請求項２】
前記ロック用回転体と自己発電可能なモジュールに互いに磁石を突設させ、上記ロック用回転体を施錠方向或いは解錠方向に回転させることで、該ロック用回転体の磁石がモジュールの磁石と吸着してモジュールを移動可能にさせることを特徴とする請求項１に記載の建物の開閉体用ロック装置。
【請求項３】
前記ロック用回転体に磁石を突設すると共に、係止体を前記モジュール側に配設し、上記ロック用回転体を施錠方向或いは解錠方向に回転させることで、該ロック用回転体の磁石がモジュールの係止体と係合してモジュールが上下方向に移動可能であることを特徴とする請求項１に記載の建物の開閉体用ロック装置。
【請求項４】
前記係止体は、磁石部と、該磁石部を挟んで配設された突起部と、から構成され、上記突起部は、上記磁石と回動方向で係止する段部を有して構成されていることを特徴とする請求項３に記載の建物の開閉体用ロック装置。
【請求項５】
前記ロック用回転体と前記モジュール側に係止体を突設させ、上記ロック用回転体を施錠方向或いは解錠方向に回転させることで、該ロック用回転体の係止体がモジュールの係止体と係合してモジュールが上下方向に移動可能であることを特徴とする請求項１に記載の建物の開閉体用ロック装置。
【請求項６】
前記モジュールは、モジュール側の両端部を張持するコイルスプリングにより往復振動して発電作動するように構成されていることを特徴とする請求項１乃至請求項５のいずれかに記載の建物の開閉体用ロック装置。
【請求項７】
前記モジュール内には、圧電素子と、該圧電素子に応力を付与する球体と、上記モジュール内に配設され上記圧電素子の歪変形により発電された電流を整流する整流回路と、が配設されていることを特徴とする請求項１乃至請求項３のいずれかに記載の建物の開閉体用ロック装置。
【発明の詳細な説明】
【技術分野】
【０００１】
この発明は、建物の窓や扉等の開閉体に取り付けられたクレセント錠等のロック装置に係り、特に、外部電源を用いることなく開閉体が不正に開けられたときに、該状態を通信により外部へと知らしめることが可能な建物の開閉体用ロック装置に関する。
【背景技術】
【０００２】
近年、窓ガラスを壊し、ロック装置を開けて空き巣に入るピッキングと呼ばれる犯罪が多発しており、これを防ぐため各種のセキュリティ装置が提案されている。
【０００３】
このような窓やドア等に取り付けられる従来のセキュリティ装置は、一般的には、窓やドア等のロック部等に後付けされる方式のものが殆どであるため、外側から容易に発見されやすく、また、ガラスを壊す等して、その作動を故意に停止させることも可能である。しかも、サッシの開閉を利用したタイプのものにあっては、通信性能を確保するために、サッシの一部に切り欠きを開設しなければならず、かかる作業が非常に煩雑であり、また、この切り欠きにより外部から発見し易い、という課題を有していた。
【０００４】
さらに、従来のこの種のセキュリティ装置では、作動用電源の配線も後付けする必要であり、また、一家屋全部の窓やドアにこの従来のセキュリティ装置を取り付ける場合には、設備コスト及び工事コストが非常に高くなる他、全てのセキュリティ装置に、常時、電源を供給しておかなければならないため、ランニングコストも嵩む、という問題を有していた。
【０００５】
またさらに、上記従来のセキュリティ装置にあっては、同種のものを数多く取り付けなければならないため、開閉箇所の特定を瞬時に判断することが難しく、また、単体で機能するため、他のセキュリティシステムと複合させることが困難である等、実用上、非常に多くの解決しなければならない問題を有していた。
【０００６】
このような問題を解決するため、近年では、特許文献１に示す建物の開閉体が提案されている。
【０００７】
【特許文献１】特願２００２−２５３０４６号
【０００８】
この先の発明によれば、外部から発見することが非常に難しく、また、外部配線工事も不要な自己発電・自動送信機能付きのモジュールを内蔵したロック装置が一体的に取り付けられた窓や扉等の建物用の開閉体とすることで、従来の開閉体自体の構造を変更することなく、非常に高いセキュリティ性能を簡単に得ることができると共に、従来のような専門の電気配線工事も不要となるので工事費を大幅にカットすることができ、しかも、発信器毎にＩＤを設定できるため、受信側で発信箇所を瞬時に特定することができて、従来の集中セキュリティシステムとも容易にジョイント可能であり、さらには、外部電源を必要としないので、外部電源が遮断された場合でも機能させることができ、ランニングコストもほとんど掛からない建物の開閉体が提供される。
【発明の開示】
【発明が解決しようとする課題】
【０００９】
この発明は、かかる現状に鑑み創案されたものであって、その目的とするところは、上記先の発明を技術的前提とし、開閉体に配設されたロック装置のロック状態が解除された時点で、圧電発電作用が開始されるように構成することで、ロック状態が完全に解除されない状態のときに、該ロック装置で組構されたセキュリティシステムが誤作動するのを確実に防止することができる建物の開閉体用ロック装置を提供しようとするものである。
【課題を解決するための手段】
【００１０】
上記目的を達成するため、この発明に係る建物の開閉体用ロック装置は、請求項１に記載したように、建物の窓や扉等の開閉体を施錠・解錠自在にするロック装置を、自己発電可能なモジュールを有して構成し、該モジュールは、上記一方の開閉体に配設されたロック装置のロック用回転体が、他方の開閉体に配設され上記ロック装置のロック用回転体と係合する係止体との係合状態が解除された時点で、ロック装置との係合が解除され、上記モジュールが振動して発電作動するように構成されていることを特徴とする。
【００１１】
請求項２に記載の発明にあっては、請求項１に記載の前記ロック用回転体と自己発電可能なモジュールに互いに磁石を突設させ、上記ロック用回転体を施錠方向或いは解錠方向に回転させることで、該ロック用回転体の磁石がモジュールの磁石と吸着してモジュールを移動可能にさせることを特徴とする。
【００１２】
請求項３に記載の発明にあっては、請求項１に記載の発明を技術的前提とし、前記ロック用回転体に磁石を突設すると共に、係止体を前記モジュール側に配設し、上記ロック用回転体を施錠方向或いは解錠方向に回転させることで、該ロック用回転体の磁石がモジュールの係止体と係合してモジュールが上下方向に移動可能であることを特徴とする。
【００１３】
また、請求項４に記載の発明は、請求項３に記載の前記係止体を、磁石部と、該磁石部を挟んで配設された突起部と、から構成され、上記突起部は上記磁石と回動方向で係止する段部を有して構成されていることを特徴とする。
【００１４】
さらに、請求項５に記載の発明は、請求項１に記載の発明を技術的前提とし、前記ロック用回転体と前記モジュール側に係止体を突設させ、上記ロック用回転体を施錠方向或いは解錠方向に回転させることで、該ロック用回転体の係止体がモジュールの係止体と係合してモジュールが上下方向に移動可能であることを特徴とする。
【００１５】
また、請求項６に記載の発明は、請求項１乃至請求項５のいずれかに記載の発明を技術的前提とし、前記モジュール側の両端部を張持するコイルスプリングによりモジュールを往復振動して発電作動するように構成したことを特徴とする。
【００１６】
さらに、請求項７に記載の発明は、請求項１乃至請求項３のいずれかに記載の発明を技術的前提とし、前記モジュール内には、圧電素子と、該圧電素子に応力を付与する球体と、上記モジュール内に配設され上記圧電素子の歪変形により発電された電流を整流する整流回路と、が配設されていることを特徴とする。
【発明の効果】
【００１７】
請求項１に記載の発明にあっては、建物の窓や扉等の開閉体を施錠・解錠自在にするロック装置を、自己発電可能なモジュールを有して構成し、該モジュールは、上記一方の開閉体に配設されたロック装置のロック用回転体が、他方の開閉体に配設され上記ロック装置のロック用回転体と係合する係止体との係合状態が解除された時点で、ロック装置との係合が解除され、上記モジュールが振動して発電作動するように構成されているので、ロック状態が完全に解除されない状態のときに、該ロック装置で組構されたセキュリティシステムが誤作動するのを確実に防止することができ、しかも、上記モジュールは、自己発電方式であるため、バッテリーの交換等が不要でランニングコストがかからず、また、停電しても確実に作動させることができるので、保安性能も非常に高い。
【００１８】
請求項２に記載の発明にあっては、前記ロック用回転体と自己発電可能なモジュールに互いに磁石を突設させ、上記ロック用回転体を施錠方向或いは解錠方向に回転させることで、該ロック用回転体の磁石がモジュールの磁石と吸着してモジュールを移動可能に構成したので、磁石同士の吸着状態が解除されても、磁石と係止体の突起部との係合状態が持続するため、ケースユニット（発電部）の移動距離をより長くすることができ、発電性能がより向上する。
【００１９】
請求項３に記載の発明にあっては、前記ロック用回転体に磁石を突設すると共に、係止体を前記モジュール側に配設し、上記ロック用回転体を施錠方向或いは解錠方向に回転させることで、該ロック用回転体の磁石がモジュールの係止体と係合してモジュールが上下方向に移動可能に構成したのでロック用回転体を回転操作しても発電することができない、といった心配がなく、その結果、セキュリティシステムが不作動となることもなく、保安性を確実に確保することができる。
【００２０】
請求項４に記載の発明にあっては、前記係止体を、磁石部と、該磁石部を挟んで配設された突起部と、から構成し、上記突起部は上記磁石と回動方向で係止する段部を有して構成されているので、確実にモジュールを一定方向に移動させることができるため、モジュールの移動距離を大きくとることができ、その結果、モジュールの上下振動距離が長くなるため、より効率的な発電を行なうことができる。
【００２１】
請求項５に記載の発明にあっては、請求項１に記載の発明を技術的前提とし、前記ロック用回転体と前記モジュール側に係止体を突設させ、上記ロック用回転体を施錠方向或いは解錠方向に回転させることで、該ロック用回転体の係止体がモジュールの係止体と係合してモジュールが上下方向に移動可能に構成されているので、確実にモジュールを上下方向に移動させることができ、ロック用回転体を回転操作しても発電することができない、といった心配がなく、その結果、セキュリティシステムが不作動となることもなく、保安性を確実に確保することができる。
【００２２】
また、請求項６に記載の発明は、前記モジュール側の両端部を張持するコイルスプリングによりモジュールを往復振動して発電作動するように構成したので、モジュールは連続して上下に往復振動して連続発電を行なうため、無電源であっても効率的な発電を得ることができる。
【００２３】
さらに、請求項７に記載の発明は、請求項１乃至請求項３のいずれかに記載の発明を技術的前提とし、前記モジュール内には、圧電素子と、該圧電素子に応力を付与する球体と、上記モジュール内に配設され上記圧電素子の歪変形により発電された電流を整流する整流回路と、が配設されて構成されているので、モジュールの上下振動により、無電源であっても効率的な発電を得ることができる。
【発明を実施するための最良の形態】
【００２４】
以下、添付図面に示す発明の実施例に基づき、この発明を詳細に説明する。
【実施例１】
【００２５】
図１乃至図３は、この発明の実施例１に係る開閉体用ロック装置を示しており、該実施例１では、この発明を建物の窓開口Ｗに装着された開閉体としてのアルミサッシ製の引戸１，２に取り付けられた開閉体用ロック装置としてのクレセント錠７に適用した場合を示している。勿論、この発明の適用例は、本実施例１のクレセント錠７を引戸１，２に適用した場合に限定されるものではなく、開き戸の扉、引戸の戸片、雨戸、観音開きの扉や窓、天窓等に取り付け可能なクレセント錠にも適用可能である。
【００２６】
本実施例１に係る引戸１，２の基本的な形態は、アルミサッシ製で中空部を有する略ロ字形窓枠３，４に板ガラス５，６が嵌め込まれて構成されており、クレセント錠７でロック可能に構成されている。
【００２７】
このクレセント錠７の基本的な構成は、操作レバー部７Ａと、この操作レバー部７に連設され、かつ軸７Ｃを回転中心として回転自在に保持された略半円状の係止部７Ｂと、から構成されており、操作レバー部７Ａを把持して係止部７Ｂを回転操作することで、該係止部７Ｂを他方の引戸２に取り付けられた係止体４０の係止片部４１に係合させる。尚、図中符号３２は、係止体４０の係止片部４１の上下に開設された穴部を夫々示している。
【００２８】
また、この実施例１では、上記軸７Ｃの内方側先端部に磁石８を配設すると共に、該クレセント錠７が取り付けられるユニットケース１０は、引戸１の窓枠３Ａに固着される。勿論、上記ユニットケース１０は、既設の窓枠に取り付けられたクレセント錠７を外して取り付けることも可能である。尚、上記磁石８は、上記クレセント錠７がロック状態を保持している間は、後記するモジュールＭに配設された磁石ＭＧを吸着する位置に配設されている。
【００２９】
この発明において、クレセント錠７がロック状態を保持している間とは、図１０に示すように、上記係止部７Ｂの先端部７Ｅが、他方の引戸２に取り付けられた係止体４０の係止片部４１との係合状態が解除されるまでの間をいう。
【００３０】
そして、上記ユニットケース１０内には、自己発電可能で、かつ、送信機能を備えたモジュールＭが収納されて構成されている。
【００３１】
上記モジュールＭは、図３に示すように、ユニットケース１０内の上下に張設されたコイルスプリング１１を介して上下に振動可能に配設されており、該コイルスプリング１１の上下端部は、ブラケット１２を介してユニットケース１０に支持されている。
【００３２】
また、上記モジュールＭは、図４に示すように、モジュールケース１４内に収容された発電部１５と送信回路部１６とリードスイッチ（図示せず）と、から構成されている。
【００３３】
モジュールＭの発電部１５は、図５に示すように、圧電素子発電部２１と整流回路２２と、から構成されており、また、送信回路部１６は、制御部２３と発信部２４とアンテナ２５と、から構成されている。
【００３４】
上記圧電発電部２１は、図６に示すように、金属製の中空箱状の発電部ケース２６と、該発電部ケース２６内に対設された圧電素子２７，２７と、該圧電素子２７，２７に衝撃応力を付与する鉄球２８と、から構成されており、上記圧電素子２７，２７は、クッション材２９，２９に保持されていると共に、上記鉄球２８は、発電部ケース２６内に形成された通路に沿って直線的に往復動するように収容されている。尚、圧電素子２７は、この実施例１では、ＰＺＴ系の２枚の板形の圧電セラミックス板を分極が互いに逆になるように接合して、直列に接続された発電構成として分極による打消しが防止されて発電性能が高められるように構成されている。
【００３５】
圧電セラミックス板は、チタンジルコン酸亜鉛系の素材が用いられ、また、クッション材２９としては、合成樹脂材、ゴム材或はこれらをスポンジ状に形成した軟質材料を用いることができ、具体的には、発泡ポリエチレンが好適である。さらに、この実施例１では、鉄球２８を、圧電素子２７が破壊されていない程度に重量が重く発電効率が良好なタングステンや鉄などを用いることができ、また、圧電素子２７の鉄球衝突面部をプロテクタでコーティングしてもよく、この場合には、加工性に優れたリン青銅やステンレス等の硬い金属或は合成樹脂などを用いることができる。
【００３６】
さらに、この圧電素子２７，２７は、上記クッション材２９，２９の中央部分又は両端部に接着剤で部分的に接着されている。勿論、接着剤以外の固定手段で固着してもよい。
【００３７】
整流回路２２は、圧電素子発電部２１で出力された交流電力を整流して脈流にする回路であり、所要数のダイオードで全波整流の回路が形成される。
【００３８】
制御部２３は、クレセント錠７がロック状態かアンロック状態かを判定し、ロック状態が解除されたときに、該情報を受信器３１へと送信するように制御する回路である。
【００３９】
また、発信部２４は、特に図示はしないが、通信制御手段と信号スイッチ手段と信号発生手段とを有して構成されている。この内、通信制御手段は通信に必要な動作を行う手段であり、電力が前記の方法で供給されることで動作を開始して信号スイッチ手段をＯＮ作動させると共に、発信のためのデータを信号発生手段へと送る。
【００４０】
この発信のためのデータとしては、少なくとも、当該モジュールＭが設置されたサッシまたはクレセント錠７に関するＩＤデータが含まれる。
【００４１】
また、上記信号発生手段は、上記通信制御手段から受け取った発信のためのデータを所定の無線信号に変換してアンテナ２５から発信する。勿論、この実施例１では、本モジュールＭがバッテリーを備えて構成されている場合には、上記通信制御手段が発信のために必要なデータを全て信号発生手段へと送り終えた後、該通信制御手段が作動して、放電を停止させるように制御するのが望ましい。
【００４２】
このように構成されてなる発電部１５は、発電部ケース２６にクレセント錠７の回動操作に伴い、磁石８とモジュールＭとの吸着状態が解除されると同時に、コイルスプリング１１のバネ力によって該発電部ケース２６が上下に往復振動し、該発電部ケース２６内の鉄球２８は、上記通路３０内を直線状に往復移動して圧電素子２７，２７に衝突し、この衝突応力を受けて圧電素子２７，２７が発電を行ない、発電された電流は整流回路２２で整流されて発信回路部１６を作動させ、該発信回路部１６は、特定の周波数からなる電波（不正侵入告知信号）を、例えば図７に示す集中セキュリティ管理装置の受信器３１へと送信する。
【００４３】
尚、この実施例１では、圧電素子２７，２７が応力を受け発電すると略同時に受信器３１が作動して信号を発信するように構成されているが、この発明にあってはこれに限定されるものではなく、より安定した電波信号を送信する場合には、日常的なクレセント錠７の開閉作動により得られる振動により発電された電流を一定電圧までバッテリーに蓄電し、余剰の電流は放電するように構成してもよい。
【００４４】
この場合には、特に図示はしないが、前記整流回路２２で得られた脈流を直流として充電するコンデンサからなる充電手段と、この充電手段の充電量を圧電素子２７，２７の発電のタイミングに応じて間歇的に監視し判定する手段と、この判定手段により充電手段の充電量が発信可能なレベルに達すると充電手段の放電を開始させ、発信部２４へと電力を供給する自己保持型電流スイッチ等で構成される放電スイッチを付設して構成するのが望ましい。
【００４５】
また、この実施例１における上記受信器３１は、モジュールＭが取り付けられた引戸１から離間した管理や気付き易い任意の場所に設置されている。具体的には、一戸建ての家屋の場合には、居間や台所、就寝室等に設置し、ビル等の建物の場合には管理室、或は、契約警備会社若しくは協力が得られるならば警察等に設置することができる。
【００４６】
また、この受信器３１は、１台で複数のモジュールＭからの信号を受信できるように構成されており、アンテナ３２と、受信部３３と、制御部３４と出力部３５及び電源３６と、から構成されている。
【００４７】
受信部３３では、各モジュールＭからの信号を受信し、該信号を制御部３４へと送り、該制御部３４では、受信部３３で受信した信号がいずれのモジュールＭからの信号であるかを各モジュールＭに付与されたＩＤ情報に基づきこれを判別回路（図示せず）で自動的に判別し、出力部３５へと当該判別情報を送る。
【００４８】
出力部３５は、制御部３４からの判別信号に基づき、例えば、家屋等に設置した受信器３１を備えた警報装置や、ネットワークを介して契約警備会社、警察等の他、居住者のパソコンや携帯電話、緊急連絡先等へと自動的に侵入情報を送信するように構成されている。勿論、屋内に設置する場合には、当該受信器３１にＬＥＤ等を配置し、このＬＥＤの点滅によって侵入箇所を迅速に視認することができるように構成するのが望ましい。さらに、この出力部３５は、家人の出入りの際や日常的な窓（クレセント錠７）の開閉の際にも、侵入信号を発信するため、わずらわしい場合もあることから、メインスイッチやリモートコントローラまたは携帯電話等でその作動の要否をＯＮ・ＯＦＦ制御できるように構成するのが望ましい。
【００４９】
次に、上記のように構成されてなるアルミサッシ製の引戸１，２に取り付けられたクレセント錠７の作動を図８乃至図１０に基づいて説明する。
【００５０】
図８（Ａ）（Ｂ）（Ｃ）は引戸１，２が閉じていてクレセント錠７がロックされている状態を、図９（Ａ）（Ｂ）（Ｃ）はクレセント錠７をロック解除方向へと回動されてモジュールＭが磁石８に吸着されて下降し、上方のコイルスプリング１１が伸長し、かつ、下方のコイルスプリング１１が収縮した状態を、図１０（Ａ）（Ｂ）（Ｃ）はクレセント錠７がさらにロック解除方向へと回動しモジュールＭの磁石ＭＧと磁石８との吸着状態が解除され、モジュールＭが上下に往復振動する瞬間を夫々示している。
【００５１】
即ち、図８（Ａ）（Ｂ）（Ｃ）に示す状態では、引戸１，２が完全に閉じており、かつ、クレセント錠７がロック状態にセットされており、従って、モジュールＭは磁石８に吸着されて振動しない停止状態を保持している。
【００５２】
この状態から、図９（Ａ）（Ｂ）（Ｃ）に示すように、クレセント錠７をロック解除方向に少し回動させると、この回動に伴い磁石８が下方向に回動するので、この磁石８に吸着されたモジュールＭの磁石ＭＧも上方コイルスプリング１１の引張力に抗して下方へ引き下ろされる。
【００５３】
次に、図１０（Ａ）（Ｂ）（Ｃ）に示すように、クレセント錠７をさらにロック解除方向へ回動させ、上記係止部７Ｂの先端部７Ｅが、他方の引戸２に取り付けられた係止体４０の係止片部４１との係合状態が解除されると、この回動に伴い磁石８がさらに下方向に回動してモジュールＭの磁石ＭＧと磁石８の吸着状態が解除されるので、モジュールＭは上下のコイルスプリング１１，１１の弾性力により上下に往復振動し、モジュールＭの発電部ケース２６内の鉄球２８が圧電素子２７，２７に衝突し、この衝突応力を受けて圧電素子２７，２７が発電を行ない、発電された電流は整流回路２２で整流されて発信回路部１６を作動させ、該発信回路部１６は、特定の周波数からなる電波（不正侵入告知信号）を前記受信器３１へと送信する。
【００５４】
このように、この実施例１では、外部電源に頼ることなく、クレセント錠７の開閉作動（ロック作動からロック解除作動）毎に圧電素子発電部２１が自己発電して必要な電力を直ちに供給することができるように構成されているので、外部から発見しにくく、また、該クレセント錠７は、外部配線工事も不要な自己発電・自動送信機能付きのモジュールを内蔵して構成されているので、当該引戸１，２を建物の窓開口部に装着する、という従来の引戸の取付作業或はクレセント錠７の取付作業と同様の簡単な作業で非常に高いセキュリティ性能を有する引戸１，２を簡単に得ることができると共に、従来のような専門の電気配線工事も不要となるので工事費を大幅にカットすることができ、しかも、モジュールＭ毎にＩＤを設定できるため、受信器３１側で発信箇所を瞬時に特定することができて、従来の集中セキュリティシステムとも容易にジョイント可能であり、さらには、外部電源を必要としないので、外部電源が遮断された場合でも機能させることができ、ランニングコストもほとんど不要とすることができる、という、先の発明から得られる効果に加え、上記係止部７Ｂの先端部７Ｅが、他方の引戸２に取り付けられた係止体４０の係止片部４１との係合状態が解除されない限り、上記発電作用及び外部通報作動を実行しないように構成されているので、誤作動による通報を確実に防止することができる。この場合、上記係止部７Ｂの先端部７Ｅと係止体４０の係止片部４１との係合状態及び係合解除状態を確実に判別するために、上記係止部７Ｂと係止片部４１に、上記発電部１５からの微弱電流を流し、この電流のＯＮ・ＯＦＦを前記制御部２３で判断するように構成してもよい。
【実施例２】
【００５５】
図１１乃至図１３は、この発明の実施例２に係る開閉体用ロック装置を示しており、このロック装置は、前記操作レバー部（図示せず）に軸支されたロック用回転体７Ｆに磁石７Ｇを突設すると共に、該磁石７Ｇと吸着する係止体４０Ａを前記ケースユニット１０側に配設して構成されており、該ロック用回転体７Ｆと係止体４０Ａとは、所謂カム機構を構成するように構成されている。尚、ユニットケース１０の構造は、実施例１のものと同様であるので、その詳細な説明をここでは省略する。勿論、本実施例２のロック装置を実施例１のクレセント錠に適用することもできる。
【００５６】
即ち、上記ロック用回転体７Ｆは、図１２及び図１３に示すように、支軸７Ｈを回転中心として施錠方向Ｐ或いは解錠方向Ｑに回転させることで、該ロック用回転体７Ｆの磁石７Ｇがケースユニット１０の係止体４０Ａの突起部４０Ｃ又は４０Ｄと係合して、上下のコイルスプリング１１，１１に張持されたケースユニット１０を上下方向に往復移動可能に押圧する。
【００５７】
一方、上記係止体４０Ａは、前記磁石７Ｇと吸着する磁石部４０Ｂと、該磁石部４０Ｂを挟んで上下に配設された突起部４０Ｃ，４０Ｄと、から構成されており、突起部４０Ｃ，４０Ｄのユニットケース表面部からの突出量は、磁石部４０Ｂの突出量よりも若干大きくなるように構成されている。
【００５８】
このため、上記磁石７Ｇと磁石部４０Ｂとの係合状態が解除されても、該磁石７Ｇは、突起部４０Ｃ，４０Ｄの段部に係合してさらにケースユニット１０を上下方向に移動させるように作用するので、解錠方向Ｑ或いは施錠方向Ｐのいずれの方向であっても、磁石７Ｇ，４０Ｂ同士の吸着の後、磁石７Ｇと突起部４０Ｃ又は４０Ｄとの係合状態を持続することができ、その結果、ケースユニット１０の移動距離をより長くすることができ、発電性能をより向上させることができる。
【００５９】
図１４と図１５は、この発明の実施例３に係る開閉体用ロック装置を示しており、このロック装置は、前記操作レバー部を構成するロック用回転体７Ｆを軸７Ｈを介して回動可能に軸支し、該回転体７Ｆには磁石からなる係止体７Ｇを突設すると共に、該係止体７Ｇと係止する係止体４０Ｃを前記ケースユニット１０側に配設して構成されており、該ロック用回転体７Ｆと係止体４０Ｃとは、所謂カム機構を構成するように構成されている。尚、図中符号１１Ｃは、ロック用回転体７Ｆを原位置へと戻すためのコイルスプリングである。
【００６０】
即ち、この実施例３に係る上記ロック用回転体７Ｆは、支軸７Ｈを回転中心としてロック用回転体７Ｆを押圧すると、該ロック用回転体７Ｆの係止体７ＧがモジュールＭの突起部４０Ｃと係合して、上下の板バネ１１Ａ，１１Ｂに張持されたモジュールＭを上下方向に往復移動可能に押圧し、係止体７Ｇと突起部４０Ｃとが外れた時点でモジュールＭが上下に振動する。逆に、支軸７Ｈを回転中心としてロック用回転体７Ｆがコイルスプリング１１Ｃの作用で原位置へと復動するときにも、係止体７Ｇと突起部４０Ｄとが係合して前記と同様の発電作用が行なわれる。
【００６１】
尚、上記各実施例では、モジュールＭを引戸に配設した場合を例にとり説明したが、この発明にあってはこれに限定されるものではなく、例えば、窓がヒンジ開閉方式のものに適用されるクレセント錠を含む各種錠にも適宜設計変更して適用することができる。
【産業上の利用可能性】
【００６２】
この発明に係る建物の開閉体用ロック装置は、以上説明したように、開閉体に配設されたクレセント錠のロック状態が解除された時点で、圧電発電作用が開始されるように構成することで、ロック状態が完全に解除されない状態のときに、該クレセント錠で組構されたセキュリティシステムが誤作動するのを確実に防止することができる。
【図面の簡単な説明】
【００６３】
【図１】この発明の実施例１に係る建物の開閉体であるクレセント錠が組み込まれた引戸の取り付け状態を示す正面説明図である。
【図２】同クレセント錠のモジュールが収納されたユニットケースの構成を示す構成説明図である。
【図３】同ユニットケース内構造を示す断面図である。
【図４】同モジュールの内部構成を示す断面図である。
【図５】同モジュールの回路構成を示すブロック図である。
【図６】同モジュールの圧電発電部の構成例を示す断面図である。
【図７】本実施例１に用いられる受信器の構成例を示すブロック図である。
【図８】（Ａ）はクレセント錠がロックされている状態の正面図を、（Ｂ）は同状態の断面図を、（Ｃ）は同状態の背面図である。
【図９】（Ａ）はクレセント錠をロック解除方向へと回動させてモジュールが磁石に吸着されて下降し、上方のコイルスプリングが伸長し、かつ、下方のコイルスプリングが収縮した状態を示す正面図を、（Ｂ）は同状態の断面図を、（Ｃ）は同状態の背面図である。
【図１０】（Ａ）はクレセント錠がさらにロック解除方向へと回動しモジュールと磁石との吸着状態が解除され該モジュールが上下に往復振動している状態を示す正面図を、（Ｂ）は同状態の断面図を、（Ｃ）は同状態の背面図である。
【図１１】この発明の実施例２に係る開閉体用ロック装置の分解斜視図である。
【図１２】同ロック装置の施錠及び解錠時における磁石と係止体の係合状態を示す説明図である。
【図１３】同ロック装置の磁石と係止体との係合状態を順に示す説明図であり、（Ａ）は初期状態を、（Ｂ）は磁石が９０度以下の状態を、（Ｃ）は磁石が９０度以上回転した状態を、（Ｄ）は発電直前の状態を示す説明図である。
【図１４】この発明の実施例３に係る開閉体用ロック装置の構成説明図である。
【図１５】同ロック装置の側面から見た構成説明図である。
【符号の説明】
【００６４】
Ｍ  モジュール
Ｗ  窓
１，２  引戸（建物の開閉体）
３  窓枠
３Ａ  室内側窓枠
７  クレセント錠（開閉体用ロック装置）
７Ａ  操作レバー部
７Ｂ  係止部
７Ｃ  軸
７Ｄ  アーム
７Ｅ  先端部
８，８Ａ  磁石
１０  ユニットケース
１１  コイルスプリング
１５  発電部
１６  送信回路部
１７  リードスイッチ
１８  係止ピン
２１  圧電素子発電部
２２  整流回路
２３  制御部
２４  発信部
２５  アンテナ
２７  圧電素子
２８  鉄球
２９  クッション材
４０  係止体
４１  係止片部
【図１】
2005139627.tif 000003
【図２】
2005139627.tif 000004
【図３】
2005139627.tif 000005
【図４】
2005139627.tif 000006
【図５】
2005139627.tif 000007
【図６】
2005139627.tif 000008
【図７】
2005139627.tif 000009
【図８】
2005139627.tif 000010
【図９】
2005139627.tif 000011
【図１０】
2005139627.tif 000012
【図１１】
2005139627.tif 000013
【図１２】
2005139627.tif 000014
【図１３】
2005139627.tif 000015
【図１４】
2005139627.tif 000016
【図１５】
2005139627.tif 000017